(57)【特許請求の範囲】
【請求項１】
床に設置され、門型に形成されるとともに戸袋及び扉受け部を設けた扉枠と、
前記床に取付けられた第１自動ヒンジと、前記扉枠に取付けられた第２自動ヒンジとを介して側端部の一方が取付けられ、床と扉枠との間で回動可能に支持された第１扉部材と、
前記第１扉部材の側端部の他方における下部に取付けられた第３自動ヒンジと、側端部の他方における上部に取付けられた第４自動ヒンジとを介して、側端部の一方が取付けられるとともに第１扉部材に対して相対的に回動可能に支持された第２扉部材と、
前記第１扉部材の下側端部に取付けられ、第１扉部材を前記床に設けられた下壺に固定する扉固定部材と、
前記第２扉部材にて、前記扉固定部材と対向する位置に取付けられ、第１扉部材を前記下壺から固定開放する固定開放部材と、
前記第１扉部材の上側端部に取付けられ、第１扉部材と第２扉部材の係止と開放を行うドアホルダと、
前記第２扉部材にて、前記ドアホルダと対向する位置に取付けられ、第１扉部材と第２扉部材の係止を行う係止トリガ部材と、
を備え、
前記ドアホルダと前記係止トリガ部材によって係止された前記第１扉部材と前記第２扉部材は、第１自動ヒンジと第２自動ヒンジを中心として回動しながら前記戸袋から排出され、
前記第１扉部材と第２扉部材が前記扉枠に収納された際に、第１扉部材のドアホルダが扉枠と当接することにより、第２扉部材の前記係止トリガ部材はドアホルダから外れるとともに第２扉部材が前記第３自動ヒンジと前記第４自動ヒンジを中心として回動し、
前記第２扉部材の前記固定開放部材が前記扉固定部材から抜けることに基づき、第２扉部材のみが第１扉部材に対して相対的に第３自動ヒンジと前記第４自動ヒンジを中心として回動し、第２扉部材の側端部の他方を扉枠の前記扉受け部に当接させて第１扉部材と第２扉部材を閉めるようにし、
前記第１扉部材に取付けられる前記扉固定部材は、
前記床に設けられる前記下壺に対して固定と開放がされる可動式ボルトと、
前記可動式ボルトの可動を制御するラッチと、
前記ラッチをスプリングヒンジによって押圧するラッチ押圧部材と、
を備え、
第１扉部材と前記第２扉部材が係止されていないときは、第２扉部材に取付けられる前記固定開放部材を作用させることなく前記スプリングヒンジを介して押圧される前記ラッチ押圧部材により前記ラッチが押圧されることに基づき、前記可動式ボルトは前記下壺に固定され、
第１扉部材と第２扉部材が係止されているときは、固定開放部材がラッチ押圧部材を逆に押圧することによりラッチが開放されて可動式ボルトが下壺から開放されるようにしたことを特徴とする折り戸構造体。
【請求項２】
前記ドアホルダは、
前記第１扉部材と前記第２扉部材の係止を開始する係止開始押圧部と、
前記第１扉部材と前記第２扉部材を係止する係止爪と、
前記第１扉部材と前記第２扉部材の係止を解除する係止解除爪と、
を備え、
第１扉部材に第２扉部材を重ねた際に第１扉部材が第２扉部材により押圧されると、第２扉部材に取付けられた前記係止トリガ部材が係止開始押圧部を押圧してロックし、係止開始押圧部に設けられた係止爪が係止トリガ部材に設けられた係止孔に係止されて第１扉部材と第２扉部材を係止し、
係止された第１扉部材と第２扉部材を前記扉枠に収納すると係止解除爪が扉枠に当接することにより、係止開始押圧部のロックを解除して係止孔に係止されている係止爪を開放し、第１扉部材と第２扉部材の係止を解除するようにしたことを特徴とする請求項１に記載の折り戸構造体。
【請求項３】
前記第１扉部材が前記第１自動ヒンジと前記第２自動ヒンジを中心として回動している間、前記第２扉部材は前記ドアホルダと前記係止トリガ部材によって係止されていることを特徴とする請求項１又は請求項２に記載の折り戸構造体。
【請求項４】
前記第２扉部材が前記第３自動ヒンジと前記第４自動ヒンジを中心として回動している間、前記第１扉部材は前記下壺に固定された前記可動式ボルトを介して固定されていることを特徴とする請求項１乃至請求項３のいずれかに記載の折り戸構造体。
【請求項５】
前記戸袋にはレリーズが設けられ、前記ドアホルダと前記係止トリガ部材によって係止されている前記第１扉部材と前記第２扉部材はレリーズによって戸袋に収納されており、
外部からのトリガによってレリーズの収納が解除されると、ドアホルダと係止トリガ部材によって係止された前記第１扉部材と前記第２扉部材が、第１自動ヒンジと第２自動ヒンジを中心として回動しながら前記戸袋から排出され、
前記第１扉部材及び第２扉部材が前記扉枠に収納されると、第１扉部材のドアホルダの前記係止解除爪が扉枠と当接することにより、第２扉部材の前記係止トリガ部材はドアホルダから外れ、第２扉部材が前記第３自動ヒンジと前記第４自動ヒンジを中心として回動し、第２扉部材の前記固定開放部材が前記扉固定部材から抜け、
前記第１扉部材が扉固定部材によって前記下壺に固定された状態で、第２扉部材のみが第３自動ヒンジと前記第４自動ヒンジを中心として回動し、第２扉部材の側端部の他方を扉枠の前記扉受け部に当接させ、
前記した一連の過程は、自動で行われることを特徴とする請求項１乃至請求項４のいずれかに記載の折り戸構造体。
【請求項６】
前記第１扉部材には、敷居のない潜り戸が設けられていることを特徴とする請求項１乃至請求項５のいずれかに記載の折り戸構造体。
【発明の詳細な説明】
【技術分野】
【０００１】
本発明はビル用扉、防火用扉等の各種の扉に使用される折り戸構造体に関し、特に、吊り元側を回動支点として回動可能な第１扉と、この第１扉の戸先側を回動支点として設置される第２扉で構成される折り戸構造体に関するものである。
【背景技術】
【０００２】
従来、かかる折り戸構造体については種々のものが提案されている。例えば、特許文献１には、戸枠が開口枠の上枠部に固定される上レールと、開口部の床面に固定される下レールと両レールの端部どうしを連結する左右の縦枠とを四角形状に組み込んで形成され、その戸枠に折り戸が装着される折り戸構造体の技術が開示され、見栄えと組立て易さが工夫されている。
【０００３】
又、特許文献２には、吊り元側を回動支点として室外側に回動可能な第１扉と、この第１扉の戸先側を回動支点として設置される第２扉で構成される折り戸の周囲の隙間を遮蔽材によって遮蔽する折り戸構造体の技術が開示され、意匠性を考慮しつつ遮煙機能に必須な気密材、遮蔽材の取付構造を改善して、潜り戸を設置した場合でも有効に遮蔽機能を確保することができるように工夫されている。
【先行技術文献】
【特許文献】
【０００４】
【特許文献１】実公平８−４６１号公報
【特許文献２】特許第４１５１５４９号公報
【発明の概要】
【発明が解決しようとする課題】
【０００５】
しかしながら、上記特許文献１の折り戸構造体によれば、折り戸の上下を上下のレールで支持する形式であるので、開口部の床面に固定される下レールがバリヤフリーの観点から問題になる。
又、開口部の床面に下レールを埋め込むことも考えられるが塵や埃が溜まるために清掃に手間が掛かるという問題もある。
更に、上記特許文献２の折り戸構造体によれば、吊り元側を回動支点として室外側に回動可能な第１扉と、この第1扉の戸先側を回動支点として設置される第２扉とで構成され
る折り戸構造体であるので、第２扉が開かれる時に第２扉の重量で第1扉が捩れるという
問題が発生する。
そのため、第２扉が床と当接して動かなくなるという問題も発生する。
更に、扉を閉めても元の形状に戻らないという問題も発生する。
【０００６】
本発明は上述の問題点を解消するためになされたものであり、第１扉に取付けられたドアホルダと第２扉に取付けられた係止トリガ部材とによって係止されて戸袋に収納されていた第１扉と第２扉が、第１扉と床を連結する第１自動ヒンジと第１扉と扉枠を連結する第２自動ヒンジとを中心にして回動しながら戸袋から排出され、更に回動して扉枠に収納されると、第１扉のドアホルダが扉枠と当接することにより、第２扉の係止トリガ部材はドアホルダから外れ、第２扉が、第１扉と第２扉を連結する第３自動ヒンジと、第１扉と第２扉とを連結する第４自動ヒンジを中心として回動し始め、この時、第２扉の固定開放部材が第１扉に取付けられた扉固定部材から抜けると共に、この扉固定部材によって床に設けた下壺に第１扉が固定され、その後、第２扉のみが第３自動ヒンジと第４自動ヒンジを中心として回動し、第２扉の他方の側端部を扉枠の扉受け部に当接させて第１扉と第２扉を閉めるようにしたことにより、第１扉の捩れの発生をなくすことにより、第２扉の床との当接をなくし、第１扉の変形をなくした折り戸構造体の提供を目的とする。
【課題を解決するための手段】
【０００７】
前記目的を達成するため、請求項１に係る折り戸構造体は、床に設置され、門型に形成されるとともに戸袋及び扉受け部を設けた扉枠と、前記床に取付けられた第１自動ヒンジと、前記扉枠に取付けられた第２自動ヒンジとを介して側端部の一方が取付けられ、床と扉枠との間で回動可能に支持された第１扉部材と、前記第１扉部材の側端部の他方における下部に取付けられた第３自動ヒンジと、側端部の他方における上部に取付けられた第４自動ヒンジとを介して、側端部の一方が取付けられるとともに第１扉部材に対して相対的に回動可能に支持された第２扉部材と、前記第１扉部材の下側端部に取付けられ、第１扉部材を前記床に設けられた下壺に固定する扉固定部材と、前記第２扉部材にて、前記扉固定部材と対向する位置に取付けられ、第１扉部材を前記下壺から固定開放する固定開放部材と、前記第１扉部材の上側端部に取付けられ、第１扉部材と第２扉部材の係止と開放を行うドアホルダと、前記第２扉部材にて、前記ドアホルダと対向する位置に取付けられ、第１扉部材と第２扉部材の係止を行う係止トリガ部材と、を備え、前記ドアホルダと前記係止トリガ部材によって係止された前記第１扉部材と前記第２扉部材は、第１自動ヒンジと第２自動ヒンジを中心として回動しながら前記戸袋から排出され、前記第１扉部材と第２扉部材が前記扉枠に収納された際に、第１扉部材のドアホルダが扉枠と当接することにより、第２扉部材の前記係止トリガ部材はドアホルダから外れるとともに第２扉部材が前記第３自動ヒンジと前記第４自動ヒンジを中心として回動し、前記第２扉部材の前記固定開放部材が前記扉固定部材から抜けることに基づき、第２扉部材のみが第１扉部材に対して相対的に第３自動ヒンジと前記第４自動ヒンジを中心として回動し、第２扉部材の側端部の他方を扉枠の前記扉受け部に当接させて第１扉部材と第２扉部材を閉めるようにし、前記第１扉部材に取付けられる前記扉固定部材は、前記床に設けられる前記下壺に対して固定と開放がされる可動式ボルトと、前記可動式ボルトの可動を制御するラッチと、前記ラッチをスプリングヒンジによって押圧するラッチ押圧部材と、を備え、第１扉部材と前記第２扉部材が係止されていないときは、第２扉部材に取付けられる前記固定開放部材を作用させることなく前記スプリングヒンジを介して押圧される前記ラッチ押圧部材により前記ラッチが押圧されることに基づき、前記可動式ボルトは前記下壺に固定され、第１扉部材と第２扉部材が係止されているときは、固定開放部材がラッチ押圧部材を逆に押圧することによりラッチが開放されて可動式ボルトが下壺から開放されるようにしたことを特徴とする。
【０００８】
【０００９】
又、請求項２に係る折り戸構造体は、請求項１に記載の折り戸構造体において、前記ドアホルダは、前記第１扉部材と前記第２扉部材の係止を開始する係止開始押圧部と、前記第１扉部材と前記第２扉部材を係止する係止爪と、前記第１扉部材と前記第２扉部材の係止を解除する係止解除爪と、を備え、第１扉部材に第２扉部材を重ねた際に第１扉部材が第２扉部材により押圧されると、第２扉部材に取付けられた前記係止トリガ部材が係止開始押圧部を押圧してロックし、係止開始押圧部に設けられた係止爪が係止トリガ部材に設けられた係止孔に係止されて第１扉部材と第２扉部材を係止し、係止された第１扉部材と第２扉部材を前記扉枠に収納すると係止解除爪が扉枠に当接することにより、係止開始押圧部のロックを解除して係止孔に係止されている係止爪を開放し、第１扉部材と第２扉部材の係止を解除するようにしたことを特徴とする。
【００１０】
又、請求項３に係る折り戸構造体は、請求項１又は請求項２に記載の折り戸構造体において、前記第１扉部材が前記第１自動ヒンジと前記第２自動ヒンジを中心として回動している間、前記第２扉部材は前記ドアホルダと前記係止トリガ部材によって係止されていることを特徴とする。
【００１１】
又、請求項４に係る折り戸構造体は、請求項１乃至請求項３のいずれかに記載の折り戸構造体において、前記第２扉部材が前記第３自動ヒンジと前記第４自動ヒンジを中心として回動している間、前記第１扉部材は前記下壺に固定された前記可動式ボルトを介して固定されていることを特徴とする。
【００１２】
又、請求項５に係る折り戸構造体は、請求項１乃至請求項４のいずれかに記載の折り戸構造体において、前記戸袋にはレリーズが設けられ、前記ドアホルダと前記係止トリガ部材によって係止されている前記第１扉部材と前記第２扉部材はレリーズによって戸袋に収納されており、外部からのトリガによってレリーズの収納が解除されると、ドアホルダと係止トリガ部材によって係止された前記第１扉部材と前記第２扉部材が、第１自動ヒンジと第２自動ヒンジを中心として回動しながら前記戸袋から排出され、前記第１扉部材及び第２扉部材が前記扉枠に収納されると、第１扉部材のドアホルダの前記係止解除爪が扉枠と当接することにより、第２扉部材の前記係止トリガ部材はドアホルダから外れ、第２扉部材が前記第３自動ヒンジと前記第４自動ヒンジを中心として回動し、第２扉部材の前記固定開放部材が前記扉固定部材から抜け、前記第１扉部材が扉固定部材によって前記下壺に固定された状態で、第２扉部材のみが第３自動ヒンジと前記第４自動ヒンジを中心として回動し、第２扉部材の側端部の他方を扉枠の前記扉受け部に当接させ、前記した一連の過程は、自動で行われることを特徴とする。
【００１３】
そして、請求項６に係る折り戸構造体は、請求項１乃至請求項５のいずれかに記載の折り戸構造体において、敷居のない潜り戸が設けられていることを特徴とする。
【発明の効果】
【００１４】
請求項１に係る折り戸構造体によれば、床に設置され、門型に形成されるとともに戸袋及び扉受け部を設けた扉枠と、床に取付けられた第１自動ヒンジと、扉枠に取付けられた第２自動ヒンジとを介して側端部の一方が取付けられ、床と扉枠との間で回動可能に支持された第１扉部材と、第１扉部材の側端部の他方における下部に取付けられた第３自動ヒンジと、側端部の他方における上部に取付けられた第４自動ヒンジとを介して、側端部の一方が取付けられるとともに第１扉部材に対して相対的に回動可能に支持された第２扉部材と、第１扉部材の下側端部に取付けられ、第１扉部材を床に設けられた下壺に固定する扉固定部材と、第２扉部材にて、扉固定部材と対向する位置に取付けられ、第１扉部材を下壺から固定開放する固定開放部材と、第１扉部材の上側端部に取付けられ、第１扉部材と第２扉部材の係止と開放を行うドアホルダと、第２扉部材にて、ドアホルダと対向する位置に取付けられ、第１扉部材と第２扉部材の係止を行う係止トリガ部材と、を備え、ドアホルダと係止トリガ部材によって係止された第１扉部材と第２扉部材は、第１自動ヒンジと第２自動ヒンジを中心として回動しながら戸袋から排出され、第１扉部材と第２扉部材が扉枠に収納された際に、第１扉部材のドアホルダが扉枠と当接することにより、第２扉部材の係止トリガ部材はドアホルダから外れるとともに第２扉部材が第３自動ヒンジと第４自動ヒンジを中心として回動し、第２扉部材の固定開放部材が扉固定部材から抜けることに基づき、第２扉部材のみが第１扉部材に対して相対的に第３自動ヒンジと第４自動ヒンジを中心として回動し、第２扉部材の側端部の他方を扉枠の扉受け部に当接させて第１扉部材と第２扉部材を閉めるようにした構成になっている。
【００１５】
この構成によれば、ドアホルダと係止トリガ部材によって係止された第１扉部材と第２扉部材が、第１自動ヒンジと第２自動ヒンジを中心として回動しながら戸袋から排出され、更に回動して扉枠に収納されると、第１扉部材のドアホルダが扉枠と当接することにより、第２扉部材の係止トリガ部材はドアホルダから外れ、第２扉部材が第３自動ヒンジと第４自動ヒンジを中心として回動し始め、この時、第２扉部材の固定開放部材が第１扉部材の扉固定部材から抜けるため、この扉固定部材によって床に設けられた下壺に第１扉部材が固定された後に、第２扉部材のみが第３自動ヒンジと第４自動ヒンジを中心として回動し、第２扉部材の他方の側端部を扉枠の扉受け部に当接させて第１扉部材と第２扉部材を閉めるようにしたので、第２扉部材の重量による第１扉部材の捩れの発生を無くすことができる。
この結果、第１扉部材の捩れの発生により、第２扉が床と当接して動かなくなるという問題も無くすことができる。
更に、第１扉部材の捩れの発生により、第１扉部材の変形が生じ、扉を閉めても元の形状に戻らないという問題も無くすことができる。
【００１６】
更に前記折り戸構造体によれば、第１扉部材に取付けられる扉固定部材は、床に設けられる下壺に対して固定と開放がされる可動式ボルトと、可動式ボルトの可動を制御するラッチと、ラッチをスプリングヒンジによって押圧するラッチ押圧部材と、を備え、第１扉部材と第２扉部材が係止されていないときは、第２扉部材に取付けられる固定開放部材を作用させることなくスプリングヒンジを介して押圧されるラッチ押圧部材によりラッチが押圧されることに基づき、可動式ボルトは下壺に固定され、第１扉部材と第２扉部材が係止されているときは、固定開放部材がラッチ押圧部材を逆に押圧することによりラッチが開放されて可動式ボルトが下壺から開放されるようにした構成になっている。
これにより、第２扉部材を開閉するときは必ず床に設けられる下壺に第１扉部材に取付けられた可動式ボルトを固定し、第１扉部材を固定した状態にすることができる。
これにより、第１扉部材の捩れを防止することができる。
又、下壺から可動式ボルトが開放されるときは、第１扉部材と第２扉部材が必ず係止されているので、第１扉部材に掛かる第２扉部材の重量を分散することができる。
そのため、第１扉部材の捩れを防止することができる。
【００１７】
次に、請求項２に係る折り戸構造体によれば、ドアホルダは、第１扉部材と第２扉部材の係止を開始する係止開始押圧部と、第１扉部材と第２扉部材を係止する係止爪と、第１扉部材と第２扉部材の係止を解除する係止解除爪と、を備え、第１扉部材に第２扉部材を重ねた際に第１扉部材が第２扉部材により押圧されると、第２扉部材に取付けられた係止トリガ部材が係止開始押圧部を押圧してロックし、係止開始押圧部に設けられた係止爪が係止トリガ部材に設けられた係止孔に係止されて第１扉部材と第２扉部材を係止し、係止された第１扉部材と第２扉部材を扉枠に収納すると係止解除爪が扉枠に当接することにより、係止開始押圧部のロックを解除して係止孔に係止されている係止爪を開放し、第１扉部材と第２扉部材の係止を解除するようにした構成になっている。
この構成により、第１扉部材と第２扉部材の係止は、係止トリガ部材が係止開始押圧部を押圧してロックし、第１扉部材と第２扉部材の解除は、係止解除爪が扉枠に当接することにより、係止開始押圧部のロックを解除して係止孔に係止されていた係止爪を開放する簡単な操作で行うことができる。
そのため、人手によるロックやロックを解除する工程を無くすことができる。
【００１８】
次に、請求項３に係る折り戸構造体によれば、第１扉部材が第１自動ヒンジと第２自動ヒンジを中心として回動している間、第２扉部材はドアホルダと係止トリガ部材によって係止されている構成になっている。
これにより、第１扉部材と第２扉部材が必ず係止されているので、第１扉部材に掛かる第２扉部材の重量を分散することができる。
そのため、第１扉部材の捩れを防止することができる。
【００１９】
次に、請求項４に係る折り戸構造体によれば、第２扉部材が第３自動ヒンジと第４自動ヒンジを中心として回動している間、第１扉部材は下壺に固定された可動式ボルトを介して固定されている構成になっている。
これにより、第１扉部材が第３自動ヒンジと第４自動ヒンジの近傍で下壺に固定された状態で、第２扉部材が第３自動ヒンジと第４自動ヒンジを中心として回動することにより、第２扉部材の重量による第１扉部材の捩れの発生を無くすことができる。
この結果、第１扉部材の捩れの発生により、第２扉が床と当接して動かなくなるという問題も無くすことができる。
更に、第１扉部材の捩れの発生により、第１扉部材の変形が生じ、扉を閉めても元の形状に戻らないという問題も無くすことができる。
【００２０】
又、請求項５に係る折り戸構造体によれば、戸袋にはレリーズが設けられ、ドアホルダと係止トリガ部材によって係止されている第１扉部材と第２扉部材はレリーズによって戸袋に収納されており、外部からのトリガによってレリーズの収納が解除されると、ドアホルダと係止トリガ部材によって係止された第１扉部材と第２扉部材が、第１自動ヒンジと第２自動ヒンジを中心として回動しながら戸袋から排出され、第１扉部材及び第２扉部材が扉枠に収納されると、第１扉部材のドアホルダの係止解除爪が扉枠と当接することにより、第２扉部材の係止トリガ部材はドアホルダから外れ、第２扉部材が第３自動ヒンジと第４自動ヒンジを中心として回動し、第２扉部材の固定開放部材が扉固定部材から抜け、第１扉部材が扉固定部材によって下壺に固定された状態で、第２扉部材のみが第３自動ヒンジと第４自動ヒンジを中心として回動し、第２扉部材の側端部の他方を扉枠の扉受け部に当接させ、前記した一連の過程は、自動で行われる構成になっている。
即ち、第１扉部材と第２扉部材を閉めなければならない緊急時に、リセット信号をレリーズに送信するのみで第１扉部材と第２扉部材を人の力を借りずに自動的に閉めることができる。
【００２１】
そして、請求項６に係る折り戸構造体によれば、敷居のない潜り戸が設けられている構成になっている。
これにより、大きな第１扉部材と第２扉部材の開け閉めは大変であるが、潜り戸にすることにより、簡単に開け閉めができる。
更に、扉固定部材によって第１扉部材が固定されているので、潜り戸を設けても潜り戸の開け閉めにも問題を発生することはない。
更に、敷居がないので、台車や車椅子等をそのまま通すことができる。
【図面の簡単な説明】
【００２２】
【図１】本実施形態に係る折り戸構造体の動作説明図で第１扉部材と第２扉部材が畳まれて戸袋に収まっている説明図である。
【図２】折り戸構造体の動作説明図で第１扉部材と第２扉部材が畳まれた状態で第２自動ヒンジを中心に回動して扉枠に収まった状態の説明図である。
【図３】折り戸構造体の動作説明図で第２扉部材が畳まれた状態から第３自動ヒンジを中心に回動し始めた状態を示す説明図である。
【図４】折り戸構造体の動作説明図で第２扉部材が畳まれた状態から第３自動ヒンジを中心に回動し、完全に開いて扉枠に収まった状態を示す説明図である。
【図５】ドアホルダの構成と動作を説明する説明図である。
【図６】扉固定部材の構成と動作を説明する説明図である。
【発明を実施するための形態】
【００２３】
以下、本発明に係る折り戸構造体について、本発明を具体化した実施形態に基づき図１乃至図６の図面を参照しつつ説明する。
最初に、図１乃至図４に基づいて、本実施形態に係る折り戸構造体１の概略構成を説明する。
折り戸構造体１は図１乃至図４に示すように、敷居の無いバリヤフリーの床２に門型の扉枠３が設けられ、扉枠３の中央左側の床２に取付けられた第１自動ヒンジ４と扉枠３に取付けられた第２自動ヒンジ５を介して回動可能に取付けられた第１扉部材６と、第１扉部材６の右側下部に取付けられた第３自動ヒンジ７と右側上部に取付けられた第４自動ヒンジ８を介して回動可能に取付けられた第２扉部材９と、第１扉部材６に取付けられている潜り戸１０とで構成される。
【００２４】
更に、床２には下壺１１が設けられている。
そして、第１扉部材６の右側下部に取付けられた第３自動ヒンジ７の近傍には、第１扉部材６が扉枠３に収納されたとき、第１扉部材６を床２に設けられた下壺１１に固定する扉固定部材１２が取付けられている。
又、第２扉部材９には、第１扉部材６を床２に設けられた下壺１１から開放するために、第１扉部材６の扉固定部材１２と対向する位置に固定開放部材１３が取付けられている。
【００２５】
更に、第１扉部材６と第２扉部材９を折畳んで係止するためにドアホルダ１４が第１扉部材６の上端部に取付けられ、係止トリガ部材１５が第２扉部材９のドアホルダ１４と対向する位置に取付けられている。
又、ドアホルダ１４と係止トリガ部材１５によって折り畳まれて係止された第１扉部材６と第２扉部材９を収納する戸袋１６が、扉枠３の左側に配置されている。
そして、戸袋１６の壁には収納された第１扉部材６と第２扉部材９を係止するレリーズ１７が取付けられている。
第１扉部材６と第２扉部材９はレリーズ１７の磁力によって係止され、レリーズ１７にインプットされるリセット信号によって係止が解除される。
【００２６】
又、扉枠３には、扉受け部１８が設けられており、第１扉部材６と第２扉部材９が扉枠３に収納されたとき、第１扉部材６の上端部と第２扉部材９の上端部と自由端部が扉受け部１８と当接する。
【００２７】
続いて、第１扉部材６の右側下部に取付けられる扉固定部材１２の主な構成部材と動作について図５に基づいて説明する。
扉固定部材１２は、扉固定部材本体１９が第１扉部材６に取付けられる。扉固定部材本体１９には、下壺１１に挿入される可動式ボルト２０が備えられ、可動式ボルト２０の下壺１１への出入りを制御するラッチ２１が備えられている。
更に、ラッチ２１の制御にトリガをかけるラッチ押圧部材２２が、スプリングヒンジ２３を介して第１扉部材６に取付けられている取付金具２４に取付けられている。
又、第２扉部材９には、ラッチ押圧部材２２を制御して最終的に可動式ボルト２０の下壺１１への出入りを制御する固定開放部材１３がラッチ押圧部材２２を押圧できる位置に取付けられている。
【００２８】
この動作は、図５の（Ａ）に示すように、固定開放部材１３が抜けているときは、ラッチ押圧部材２２がラッチ２１を押圧しており、これにより、下壺１１に可動式ボルト２０が挿入されるように制御されて第１扉部材６が下壺１１に固定される。
図５の（Ｂ）に示すように、固定開放部材１３が挿入されてラッチ押圧部材２２を押圧してラッチ２１から離すことにより、ラッチ２１がフリーになることにより、可動式ボルト２０が下壺１１から抜ける。これにより、第１扉部材６は自由に回動できる。
【００２９】
続いて、第１扉部材６の上端部に取付けられるドアホルダ１４の主な構成部材と動作について図６に基づいて説明する。
ドアホルダ１４は、第１扉部材６の上端に取付けられる。ドアホルダ１４には、係止開始押圧部２５が取付けられ、係止開始押圧部２５には係止爪２６が設けられている。
又、ドアホルダ１４には、扉枠３に当接して動作する係止解除爪２７が設けられている。
又、第２扉部材９には、係止孔２８を設けた係止トリガ部材１５が取付けられている。
【００３０】
ここで、ドアホルダ１４と係止トリガ部材１５を構成する構成部材がどのような動作をするかを図６（Ａ）、図６（Ｂ）に基づいて説明する。
図６（Ａ）の状態は、第２扉部材９に取付けられている係止トリガ部材１５の係止孔２８に係止爪２６が係止され、第１扉部材６と第２扉部材９が係止されて同時に回動する状態になっている。
この状態で、第１扉部材６と第２扉部材９が回動して扉枠３に収納されると係止解除爪２７が扉枠３に当接して係止孔２８から係止爪２６が外れ、第２扉部材９のみが回動できる図６（Ｂ）の状態になる。
図６（Ｂ）の状態から、係止トリガ部材１５をドアホルダ１４の係止開始押圧部２５に当接して押し込むと係止爪２６が係止孔２８係止に係止されて図６（Ａ）の状態に戻る。
【００３１】
続いて、このように構成された折り戸構造体１の動作について、図１乃至図６に基づいて説明する。
図１は、図６の（Ａ）に示すように、第１扉部材６に取付けられたドアホルダ１４の係止爪２６が第２扉部材９に取付けられた係止トリガ部材１５の係止孔２８に連結された状態で戸袋１６に収納され、レリーズ１７によって係止されている状態である。
この時、第１扉部材６に取付けられた扉固定部材１２の状態は、図５の（Ｂ）に示す状態で、第２扉部材９に取付けられた固定開放部材１３がラッチ押圧部材２２を押圧してラッチ２１がフリーな状態になり、可動式ボルト２０が下壺１１から抜けた状態になっている。
【００３２】
そのために外部からのトリガによって、レリーズ１７による係止が解除されると、図２に示す矢印Ｃの方向に、第１扉部材６と第２扉部材９は、連結されたままで第１自動ヒンジ４と第２自動ヒンジ５を中心にして回動し、扉枠３に収納される。
この動作は、第１自動ヒンジ４と第２自動ヒンジ５の駆動力によって自動的に行われる。
第１扉部材６と第２扉部材９が扉枠３に収納される時、図６の（Ａ）に示す、第１扉部材６に取付けられているドアホルダ１４の係止解除爪２７が、図６の（Ｂ）に示すように、扉枠３に当接する。
そのため、ドアホルダ１４の係止爪２６が引き込まれることにより、係止爪２６は、第２扉部材９に取付けられている係止トリガ部材１５の係止孔２８から外れる。
そして、第２扉部材９は、第３自動ヒンジ７と第４自動ヒンジ８を中心にして図６の（Ｂ）に示す矢印Ｈ方向に回動する。
この時、第１扉部材６は、扉枠３の扉受け部１８に当接しているので回動しない。
そのために、第３自動ヒンジ７と第４自動ヒンジ８を中心にして相対的に第２扉部材９が図６の（Ｂ）に示す矢印Ｈ方向に回動するのである。
この動作は、第３自動ヒンジ７と第４自動ヒンジ８の駆動力によって自動的に行われる。
【００３３】
これに連動して、第１扉部材６の下部に取付けられている扉固定部材１２において、図５の（Ｂ）に示すように、ドアホルダ１４と係止トリガ部材１５によって第１扉部材６と第２扉部材９が係止されているときは、第２扉部材９に取付けられている固定開放部材１３が扉固定部材１２の隙間に挿入されてラッチ押圧部材２２を矢印Ｇ（図５の（Ａ）参照）と反対方向に押圧している状態になっている。
そのために、ラッチ２１はフリーの状態になっており、これによって、可動式ボルト２０が扉固定部材本体１９の中に引上げられた状態になっている。
この状態は、図２における第１扉部材６と第２扉部材９が係止されたまま第１自動ヒンジ４と第２自動ヒンジ５を中心にして回動し、扉枠３に収納されるまで続く。
【００３４】
しかしながら、上述のように、第１扉部材６と第２扉部材９の係止が解除されると、第３自動ヒンジ７と第４自動ヒンジ８を中心にして相対的に第２扉部材９が図５の（Ａ）に示す矢印Ｆ方向に回動するのである。
この第２扉部材９の回動により、図５の（Ａ）に示すように、第２扉部材９に取付けられている固定開放部材１３が扉固定部材１２の隙間から抜ける。
これにより、第１扉部材６に取付けられている取付金具２４を介して取付けられたスプリングヒンジ２３に回動可能に取付けられたラッチ押圧部材２２は、図５の（Ａ）に示すように、矢印Ｇ方向に回動してラッチ２１を扉固定部材本体１９に押し込んだ状態にするのである。
このラッチ２１の押し込み状態により、扉固定部材本体１９の中に引上げられた状態になっていた可動式ボルト２０は、床２に設けられた下壺１１に突出して挿入される。
これにより、第１扉部材６の下部は、床２に固定される。
この下壺１１の可動式ボルト２０に対する位置決めは、第１扉部材６が扉枠３の扉受け部１８に第１自動ヒンジ４と第２自動ヒンジ５の駆動力によって当接して固定されることにより、位置関係が明確になるので簡単に位置を決めることができ、床２に下壺１１を設置することができる。
【００３５】
このように係止された第１扉部材６と第２扉部材９が、第１自動ヒンジ４と第２自動ヒンジ５を中心として回動する駆動力によって扉枠３に収納された時、第１扉部材６のドアホルダ１４の係止解除爪２７が扉枠３によって作動し、係止爪２６が第２扉部材９の係止トリガ部材１５に設けられた係止孔２８から外れることにより第１扉部材６と第２扉部材９の係止が解かれ、第２扉部材９が第３自動ヒンジ７と第４自動ヒンジ８の駆動力によって第３自動ヒンジ７と第４自動ヒンジ８を中心にして相対的に回動を開始すると、第２扉部材９の固定開放部材１３が第１扉部材６の扉固定部材１２から抜けることにより、扉固定部材１２の可動式ボルト２０が床２の下壺１１に挿入されて第１扉部材６の下部が固定される。
上述のように、係止された第１扉部材６と第２扉部材９が扉枠３に収納されてから、第２扉部材９が回動を開始し、第１扉部材６の下部が固定されるまでの一連の動作の流れの中で、それぞれの動作は自動的に行われる。
【００３６】
こうして開放された第２扉部材９は、第３自動ヒンジ７と第４自動ヒンジ８を中心にして、図３に示す矢印Ｄの方向に、第３自動ヒンジ７と第４自動ヒンジ８の駆動力によって回動する。
この時、第１扉部材６の下部に、第２扉部材９の重量による捩れが図３に示す矢印Ｌの方向に発生するが、第１扉部材６の下部に取付けられた扉固定部材１２の可動式ボルト２０が、床２の下壺１１に挿入されることにより第１扉部材６の下部を固定するので、第１扉部材６の下部の捩れを防止することができる。
【００３７】
このように第１扉部材６の下部の捩れを防止して第２扉部材９は、第３自動ヒンジ７と第４自動ヒンジ８を中心にして、図４に示す矢印Ｅの方向に、第３自動ヒンジ７と第４自動ヒンジ８の駆動力によって、第２扉部材９の下部を床２に擦ることなく回動して扉受け部１８に当接する。
このように、第２扉部材９が回動するときは、必ず第１扉部材６の下部に取付けられた扉固定部材１２の可動式ボルト２０が、床２の下壺１１に挿入されて第１扉部材６の下部を固定した状態になっている。
同様に、第１扉部材６のが回動するときは、第１扉部材６に取付けられているドアホルダ１４の係止爪２６が第２扉部材９に取付けられている係止トリガ部材１５の係止孔２８に係止されており、必ず第１扉部材６と第２扉部材９が一体となって回動する状態になっている。
【００３８】
ところで、このように第１扉部材６と第２扉部材９が扉受け部１８に当接した状態から、第１扉部材６と第２扉部材９が係止された状態で戸袋１６に納まってレリーズ１７に係止される行程は、以下の通りである。
先ず、第３自動ヒンジ７と第４自動ヒンジ８を中心にして第２扉部材９を図４の矢印Ｅとは逆方向に人力で１８０度回転して第１扉部材６に押圧して図２の状態にする。
図２の状態になると、図６の（Ｂ）に示すように、第２扉部材９に取付けられている係止トリガ部材１５が第１扉部材６に取付けられているドアホルダ１４の係止開始押圧部２５を図６の（Ｂ）に示す矢印Ｋの方向に押圧すると、図６の（Ａ）に示すように、第２扉部材９に取付けられている係止トリガ部材１５の係止孔２８に、第１扉部材６に取付けられているドアホルダ１４の係止爪２６が係止され、第１扉部材６と第２扉部材９が係止された状態になる。
【００３９】
又、第１扉部材６と第２扉部材９が係止された状態になるのと同時に、図５の（Ａ）に示すように、第２扉部材９に取付けられた固定開放部材１３が第１扉部材６に取付けられた扉固定部材１２のラッチ押圧部材２２を押圧すると、図５の（Ｂ）に示すように、ラッチ２１がフリーになり、今まで床２に設けられた下壺１１に固定されていた可動式ボルト２０が扉固定部材本体１９の中に引上げられることにより、第１扉部材６はフリーの状態になる。
【００４０】
このように、第１扉部材６と第２扉部材９が係止されると共にフリーなった第１扉部材６を、第１自動ヒンジ４と第２自動ヒンジ５を中心として図２の矢印Ｃとは逆方向に人力で１８０度回転して戸袋１６のレリーズ１７に装着すると図１の元の状態に戻る。
この操作は、人力であるが第１扉部材６と第２扉部材９を折り畳んでいくだけの操作で自動的に戸袋１６のレリーズ１７に装着される。
【００４１】
以上説明したように、本実施形態に係る折り戸構造体１によれば、床２に設置され、門型に形成されるとともに戸袋１６及び扉受け部１８を設けた扉枠３と、床２に取付けられた第１自動ヒンジ４と、扉枠３に取付けられた第２自動ヒンジ５とを介して側端部の一方が取付けられ、床２と扉枠３との間で回動可能に支持された第１扉部材６と、第１扉部材６の側端部の他方における下部に取付けられた第３自動ヒンジ７と、側端部の他方における上部に取付けられた第４自動ヒンジ８とを介して、側端部の一方が取付けられるとともに第１扉部材６に対して相対的に回動可能に支持された第２扉部材９と、第１扉部材６の下側端部に取付けられ、第１扉部材６を床２に設けられた下壺１１に固定する扉固定部材１２と、第２扉部材９にて、扉固定部材１２と対向する位置に取付けられ、第１扉部材６を下壺１１から固定開放する固定開放部材１３と、第１扉部材６の上側端部に取付けられ、第１扉部材６と第２扉部材９の係止と開放を行うドアホルダ１４と、第２扉部材９にて、ドアホルダ１４と対向する位置に取付けられ、第１扉部材６と第２扉部材９の係止を行う係止トリガ部材１５と、を備え、ドアホルダ１４と係止トリガ部材１５によって係止された第１扉部材６と第２扉部材９は、第１自動ヒンジ４と第２自動ヒンジ５を中心として回動しながら戸袋１６から排出され、第１扉部材６と第２扉部材９が扉枠３に収納された際に、第１扉部材６のドアホルダ１４が扉枠３と当接することにより、第２扉部材９の係止トリガ部材１５はドアホルダ１４から外れるとともに第２扉部材９が第３自動ヒンジ７と第４自動ヒンジ８を中心として回動し、第２扉部材９の固定開放部材１３が扉固定部材１２から抜けることに基づき、第２扉部材９のみが第１扉部材６に対して相対的に第３自動ヒンジ７と第４自動ヒンジ８を中心として回動し、第２扉部材９の側端部の他方を扉枠３の扉受け部１８に当接させて第１扉部材６と第２扉部材９を閉めるようにした構成になっている。
【００４２】
この構成によれば、ドアホルダ１４と係止トリガ部材１５によって係止された第１扉部材６と第２扉部材９が、第１自動ヒンジ４と第２自動ヒンジ５を中心として回動しながら戸袋１６から排出され、更に回動して扉枠３に収納されると、第１扉部材６のドアホルダ１４が扉枠３と当接することにより、第２扉部材９の係止トリガ部材１５はドアホルダ１４から外れ、第２扉部材９が第１自動ヒンジ４と第２自動ヒンジ５を中心として回動し始め、この時、第２扉部材９の固定開放部材１３が扉固定部材１２から抜けるため、この扉固定部材１２によって下壺１１に第１扉部材６が固定された後に、第２扉部材９のみが第１自動ヒンジ４と第２自動ヒンジ５を中心として回動し、第２扉部材９の他方の側端部を扉枠３の扉受け部１８に当接させて第１扉部材６と第２扉部材９を閉めるようにしたので、第２扉部材９の重量による第１扉部材６の捩れの発生を無くすことができる。
この結果、第１扉部材６の捩れの発生により、第２扉部材９が床２と当接して動かなくなるという問題も無くすことができる。
更に、第１扉部材６の捩れの発生により、第１扉部材６の変形が生じ、扉を閉めても元の形状に戻らないという問題も無くすことができる。
【００４３】
次に、折り戸構造体１によれば、第１扉部材６に取付けられる扉固定部材１２は、床２に設けられる下壺１１に対して固定と開放がされる可動式ボルト２０と、可動式ボルト２０の可動を制御するラッチ２１と、ラッチ２１をスプリングヒンジ２３によって押圧するラッチ押圧部材２２と、を備え、第１扉部材６と第２扉部材９が係止されていないときは、第２扉部材９に取付けられる固定開放部材１３を作用させることなくスプリングヒンジ２３を介して押圧されるラッチ押圧部材２２によりラッチ２１が押圧されることに基づき、可動式ボルト２０は下壺１１に固定され、第１扉部材６と第２扉部材９が係止されているときは、固定開放部材１３がラッチ押圧部材２２を逆に押圧することによりラッチ２１が開放されて可動式ボルト２０が下壺１１から開放されるようにした構成になっている。
これにより、第２扉部材９を開閉するときは必ず下壺１１に可動式ボルト２０を固定し、第１扉部材６を固定した状態にすることができる。
又、下壺１１から可動式ボルト２０が開放されるときは、第１扉部材６と第２扉部材９が必ず係止されているので、第１扉部材６に掛かる第２扉部材９の重量を分散することができる。
そのため、第１扉部材６の捩れを防止することができる。
【００４４】
次に、折り戸構造体１によれば、ドアホルダ１４は、第１扉部材６と第２扉部材９の係止を開始する係止開始押圧部２５と、第１扉部材６と第２扉部材９を係止する係止爪２６と、第１扉部材６と第２扉部材９の係止を解除する係止解除爪２７と、を備え、第１扉部材６に第２扉部材９を重ねた際に第１扉部材６が第２扉部材９により押圧されると、第２扉部材９に取付けられた係止トリガ部材１５が係止開始押圧部２５を押圧してロックし、係止開始押圧部２５に設けられた係止爪２６が係止トリガ部材１５に設けられた係止孔２８に係止されて第１扉部材６と第２扉部材９を係止し、係止された第１扉部材６と第２扉部材９を扉枠３に収納すると係止解除爪２７が扉枠３に当接することにより、係止開始押圧部２５のロックを解除して係止孔２８に係止されている係止爪２６を開放し、第１扉部材６と第２扉部材９の係止を解除するようにした構成になっている。
この構成により、第１扉部材６と第２扉部材９の係止は、係止トリガ部材１５が係止開始押圧部２５を押圧してロックし、第１扉部材６と第２扉部材９の解除は、係止解除爪２７が扉枠３に当接することにより、係止開始押圧部２５のロックを解除して係止孔２８に係止されていた係止爪２６を開放する簡単な操作で行うことができる。
そのため、人手によるロックやロックを解除する工程を無くすことができる。
【００４５】
次に、折り戸構造体１によれば、第１扉部材６が第１自動ヒンジ４と第２自動ヒンジ５を中心として回動している間、第２扉部材９はドアホルダ１４と係止トリガ部材１５によって係止されている構成になっている。
これにより、第１扉部材６と第２扉部材９が必ず係止されているので、第１扉部材６に掛かる第２扉部材９の重量を分散することができる。
そのため、第１扉部材６の捩れを防止することができる。
【００４６】
次に、折り戸構造体１によれば、第２扉部材９が第３自動ヒンジ７と第４自動ヒンジ８を中心として回動している間、第１扉部材６は下壺１１に固定された可動式ボルト２０を介して固定されている構成になっている。
これにより、第１扉部材６が第３自動ヒンジ７と第４自動ヒンジ８の近傍で下壺１１に固定された状態で、第２扉部材９が第３自動ヒンジ７と第４自動ヒンジ８を中心として回動することにより、第２扉部材９の重量による第１扉部材６の捩れの発生を無くすことができる。
この結果、第１扉部材６の捩れの発生により、第２扉が床２と当接して動かなくなるという問題も無くすことができる。
更に、第１扉部材６の捩れの発生により、第１扉部材６の変形が生じ、扉を閉めても元の形状に戻らないという問題も無くすことができる。
【００４７】
次に、折り戸構造体１によれば、戸袋１６にはレリーズ１７が設けられ、ドアホルダ１４と係止トリガ部材１５によって係止されている第１扉部材６と第２扉部材９はレリーズ１７によって戸袋１６に収納されており、外部からのトリガによってレリーズ１７の収納が解除されると、ドアホルダ１４と係止トリガ部材１５によって係止された第１扉部材６と第２扉部材９が、第１自動ヒンジ４と第２自動ヒンジ５を中心として回動しながら戸袋１６から排出され、第１扉部材６及び第２扉部材９が扉枠３に収納されると、第１扉部材６のドアホルダ１４の係止解除爪２７が扉枠３と当接することにより、第２扉部材９の係止トリガ部材１５はドアホルダ１４から外れ、第２扉部材９が第３自動ヒンジ７と第４自動ヒンジ８を中心として回動し、第２扉部材９の固定開放部材１３が扉固定部材１２から抜け、第１扉部材６が扉固定部材１２によって下壺１１に固定された状態で、第２扉部材９のみが第３自動ヒンジ７と第４自動ヒンジ８を中心として回動し、第２扉部材９の側端部の他方を扉枠３の扉受け部１８に当接させ、前記した一連の過程は、自動で行われる構成になっている。
即ち、第１扉部材６と第２扉部材９を閉めなければならない緊急時に、リセット信号をレリーズ１７に送信するのみで第１扉部材６と第２扉部材９を人の力を借りずに自動的に閉めることができる。
【００４８】
そして、折り戸構造体１によれば、敷居のない潜り戸１０が設けられている構成になっている。
これにより、大きな第１扉部材６と第２扉部材９の開け閉めは大変であるが、潜り戸１０にすることにより、簡単に開け閉めができる。
更に、扉固定部材１２によって第１扉部材６が固定されているので、潜り戸１０を設けても潜り戸１０の開け閉めにも問題を発生することはない。
更に、敷居がないので、台車や車椅子等をそのまま通すことができる。
尚、本発明は前記実施形態に限定されるものではなく、本発明の要旨を逸脱しない範囲内で種々の改良、変形が可能であることは勿論である。
【符号の説明】
【００４９】
１    折り戸構造体
２    床
３    扉枠
４    第１自動ヒンジ
５    第２自動ヒンジ
６    第１扉部材
７    第３自動ヒンジ
８    第４自動ヒンジ
９    第２扉部材
１０  潜り戸
１１  下壺
１２  扉固定部材
１３  固定開放部材
１４  ドアホルダ
１５  係止トリガ部材
１６  戸袋
１７  レリーズ
１８  扉受け部
２０  可動式ボルト
２１  ラッチ
２２  ラッチ押圧部材
２３  スプリングヒンジ
２５  係止開始押圧部
２６  係止爪
２７  係止解除爪
２８  係止孔
【図１】
0005963891.tif 000002
【図２】
0005963891.tif 000003
【図３】
0005963891.tif 000004
【図４】
0005963891.tif 000005
【図５】
0005963891.tif 000006
【図６】
0005963891.tif 000007